(57)【要約】【課題】工具などを必要とせず、誰でも簡単に立体構造物を構築できるようにする。【解決手段】本発明の組立ブロックは、上側に設けられた「凸状結合部（突起）」と、下側に設けられた「凹状結合部（溝）」の組合せで構成される「一組の結合部」を複数具備する。凸状結合部を、他の組立ブロックの凹状結合部に押し込んで凹凸嵌合させることで、積み重ねた２つのブロックを相互に確りと固定することができる。したがって、組立ブロックを単に積み上げるだけで簡単に目的の立体構造物に組み上げることができる。すなわち、ネジ回しや接着剤などを使うことなく、立体構造物を簡単に構築できる。また、立体構造物をいちど組み立てた後であっても、簡単に分解することができ、分解した組立ブロックを使って他の形のものに積み重ねていくこともできる。すなわち、本発明の組立ブロックは、拡張性に優れた環境に優しい構造物構成部材である。【選択図】図６
2017128990.tif 000002
【特許請求の範囲】
【請求項１】
ファーニチャー、ウォール、オブジェなどの立体構造物の全部または一部を構築する際に構造物構成部材として用いられ、他の組立ブロックに対し結合可能に構成された組立ブロックであって、
他の組立ブロックの凹状結合部に結合することを可能にする凸状結合部と、
他の組立ブロックの凸状結合部が結合することを可能にする凹状結合部と、
の組合せからなる結合部を具備する組立ブロック。
【請求項２】
凸状結合部と凹状結合部は、それぞれ、平面視矩形に形成されている、ことを特徴とする請求項１に記載の組立ブロック。
【請求項３】
一組の結合部を偶数具備する、ことを特徴とする請求項１に記載の組立ブロック。
【請求項４】
一組の結合部を複数具備するとともに、
複数組の結合部を、ブロック上方から見て複数列・複数行のレイアウトで具備している、ことを特徴とする請求項１に記載の組立ブロック。
【請求項５】
棒状の補強部材や線材を通すための貫通孔を有する、ことを特徴とする請求項１乃至４の何れかに記載の組立ブロック。
【請求項６】
（１）一組の結合部を８つ具備する請求項１に記載のブロックと、
（２）一組の結合部を４つ具備する請求項１に記載のブロックと、
（３）一組の結合部を２つ具備する請求項１に記載のブロックと、
を含んで構成され、
上記（１）のブロックは、上記（２）のブロックを２つ組み合わせたものと同等のサイズを有し、上記（２）のブロックは、上記（３）のブロックを２つ組み合わせたものと同等のサイズを有する、ことを特徴とする組立ブロックのセット。
【請求項７】
前記（１）のブロックは、
平面視および側面視が略矩形であって、２：１：１の寸法比で形成された本体と、
前記本体の上面側に形成された凸状結合部と、
前記本体の下面側に形成された凹状結合部と、
を有する、ことを特徴とする請求項６に組立ブロックのセット。
【請求項８】
請求項１〜５の何れかに記載の組立ブロックに被せて用いられ、少なくとも凸状結合部を遮蔽可能に構成されたキャップ。
【請求項９】
請求項１に記載の組立ブロックを複数利用した立体構造物の組立方法であって、
第１の組立ブロックと第２の組立ブロックを隣接させ、
第１の組立ブロックと第２の組立ブロックの間を横断するように第３の組立ブロックを配置するとともに、当該第３の組立ブロックを第１の組立ブロックおよび第２の組立ブロックの双方に対し結合させる、ことを特徴とする立体構造物の組立方法。
【請求項１０】
請求項１に記載の組立ブロックと請求項８に記載のキャップを利用した立体構造物の組立方法であって、
第１の組立ブロックと第２の組立ブロックを隣接させ、
第１の組立ブロックと第２の組立ブロックの間を横断するようにキャップを配置するとともに、第１の組立ブロックおよび第２の組立ブロックの凸状結合部を遮蔽するように当該キャップを被せる、ことを特徴とする立体構造物の組立方法。
【請求項１１】
請求項１に記載の組立ブロックを複数利用した立体構造物の組立方法であって、
一の組立ブロックと他の組立ブロックを上下方向で結合させ、
上下方向で結合した組立ブロックを貫くように棒状の補強部材を各組立ブロックの貫通孔に通す、ことを特徴とする立体構造物の組立方法。
【発明の詳細な説明】
【技術分野】
【０００１】
本発明は、立体構造物の全部または一部を構築する際に構造物構成部材として用いられる組立ブロック、組立ブロックのセット、キャップに関するものであり、また、これらを用いた立体構造物の組立方法に関するものである。
【背景技術】
【０００２】
従来、ファーニチャー、ウォール、オブジェなどの立体構造物を構築するにあたっては、工具や接着剤などを使うのが技術常識であり、また、構造物の強度等を確保するための専門知識が必要であったが、そのような工具や接着剤、専門知識などを必要としない、新たな構造物構築手段が長年望まれていた。
【発明の概要】
【発明が解決しようとする課題】
【０００３】
そこで、上述した長年の要望に鑑み、本発明の目的は、工具や接着剤、専門知識などを必要とせず、誰でも簡単に立体構造物を構築することを可能にする組立ブロック（構造物構成材料）、組立ブロックのセット、キャップ、立体構造物の組立方法を提供することにある。
【課題を解決するための手段】
【０００４】
上記目的は、
ファーニチャー、ウォール、オブジェなどの立体構造物の全部または一部を構築する際に構造物構成部材として用いられ、同種または異種の他の組立ブロックに対し結合可能に構成された組立ブロックであって、
上方にある他の組立ブロックの凹状結合部に対し押し込むことで結合することを可能にする凸状結合部と、
下方にある他の組立ブロックの凸状結合部を押し込むことで結合することを可能にする凹状結合部と、
の組合せからなる一組の結合部を具備する組立ブロックよって達成される。
【０００５】
上記組立ブロックにおいて、凸状結合部と凹状結合部は、それぞれ、平面視矩形に形成されている。
【０００６】
また、上記組立ブロックは、前記一組の結合部を偶数具備する。
【０００７】
また、上記組立ブロックは、前記一組の結合部を複数具備するとともに、
複数組の結合部を、ブロック上方から見て複数列・複数行のレイアウトで具備している。
【０００８】
また上記目的は、
（１）一組の結合部を８つ具備する請求項１に記載のブロックと、
（２）一組の結合部を４つ具備する請求項１に記載のブロックと、
（３）一組の結合部を２つ具備する請求項１に記載のブロックと、
を含んで構成され、
上記（１）のブロックが、上記（２）のブロックを２つ組み合わせたものと同等のサイズを有し、上記（２）のブロックが、上記（３）のブロックを２つ組み合わせたものと同等のサイズを有する、ことを特徴とする組立ブロックのセットによって達成される。
【０００９】
前記（１）のブロックは、
平面視および側面視が略矩形であって、２：１：１の寸法比で形成された本体と、
前記本体の上面側に形成された凸状結合部と、
前記本体の下面側に形成された凹状結合部と、
を有する。
【００１０】
また上記目的は、上記組立ブロックに被せて用いられ、少なくとも凸状結合部を遮蔽可能に構成されたキャップによって達成される。
【００１１】
また上記目的は、第１の組立ブロックと第２の組立ブロックを隣接させ、
第１の組立ブロックと第２の組立ブロックの間を横断するように第３の組立ブロックを配置するとともに、当該第３の組立ブロックを第１の組立ブロックおよび第２の組立ブロックの双方に対し結合させる、ことを特徴とする立体構造物の組立方法によって達成される。
【００１２】
また上記目的は、第１の組立ブロックと第２の組立ブロックを隣接させ、
第１の組立ブロックと第２の組立ブロックの間を横断するようにキャップを配置するとともに、第１の組立ブロックおよび第２の組立ブロックの凸状結合部を遮蔽するように当該キャップを被せる、ことを特徴とする立体構造物の組立方法によって達成される。
【００１３】
また上記目的は、一の組立ブロックと他の組立ブロックを上下方向で結合させ、
上下方向で結合した組立ブロックを貫くように棒状の補強部材を各組立ブロックの貫通孔に通す、ことを特徴とする立体構造物の組立方法によって達成される。
【発明の効果】
【００１４】
本発明の組立ブロックは、上側に設けられた「凸状結合部（突起）」と、下側に設けられた「凹状結合部（溝）」の組合せで構成される「一組の結合部」を具備している。すなわち、組立ブロックは、凸状結合部の数だけ凹状結合部を具備している。
上下一対の結合部の一部である「凸状結合部（突起）」は、積み重ねる上側の別ブロックが具備する「凹状結合部（溝）」に対して入り込んで強固に凹凸嵌合する。また、上下一対の結合部の他の一部である「凹状結合部（溝）」に対しては、積み重ねる下側の別ブロックが具備する「凸状結合部（突起）」が入り込んで強固に凹凸嵌合する。つまり、「凸状結合部（突起）」は、上側のブロックとの結合に利用され、「凹状結合部（溝）」は下側のブロックとの結合に利用される。
このような構成により、少なくとも上下方向において、組立ブロックを単に積み上げるだけで、ブロックどうしが確りと固定され、誰でも簡単に目的の立体構造物に組み上げることが可能になる。すなわち、ネジ回しなどの工具や接着剤を使うことなく、立体構造物を構築することが可能になる。
また本発明の組立ブロックは、立体構造物をいちど組み立てた後であっても、誰でも簡単に分解することが可能であり、分解した組立ブロックを使って他の形のものに積み重ねていくことができる。すなわち、本発明の組立ブロックは、なんどでも再利用できる『拡張性』に優れた環境に優しい立体構造物構成部材である。
また、なんどでも分解して再利用でき、また、ブロックどうしを結合させて拡張させることができるので、誰でも（組立ての専門知識が無い者であっても）簡単に、イマジネーションのままインテリアなどの造形を楽しむことが可能になる。
【００１５】
また、本発明の組立ブロックにおいて、一組の結合部を構成する凸状結合部と凹状結合部は、それぞれ平面視矩形の形状を有するように形成されている。これにより、複数の組立ブロックを積み重ねて結合させたときに、平面視矩形の結合部が凹凸嵌合することになり、構築する立体造形物に対して捩れに強い剛性を与えることができる。
【００１６】
また、本発明の組立ブロックは、一組の結合部を偶数セット具備しており、例えば、偶数個の結合部を、ブロック上方から見て複数列・複数行のレイアウトで具備している。このようなレイアウトで結合部を設けることで、例えば、ブロックどうしを重ねて結合するときに、すべての凸状結合部または凹状結合部を利用してブロックどうしを結合できるのは勿論のこと、一部の結合部だけを利用してブロックどうしを結合することもできる。これにより、複数の組立ブロックを利用した造形の自由度が大幅に高まり、その結果、イマジネーションのまま、好みのインテリアを創造することが可能になる。
【００１７】
また、本発明の組立ブロックは、サポート棒などの棒状の補強部材や、ケーブルなどの線材を通すための貫通孔を有している。
例えば、複数の組立ブロックを高く積み重ねてブロックどうしを結合させる場合には、当該ブロック結合体（結合させた各組立ブロック）の貫通孔を貫くように、サポート棒である補強部材を貫通させる。サポート棒の素材は特に限定されず、例えば、木材・金属・ポリ塩化ビニルなどからなる棒材を利用することができる。このような棒状補強部材をブロック結合体の全体に串刺し状に通して補強することで、ブロック結合体がさまざまな側圧に耐えられるようになり、構造強度が大幅に高まる。
また例えば、組立ブロックを半透明または透明の材料で構成することもできる。これにより、組立ブロックからなる立体構造物にイルミネーション効果を発揮させることが可能になる。
【００１８】
また、本発明の組立ブロックのセットは、例えば、
上下一対の結合部を８セット具備するフルサイズ・ブロックと、
上下一対の結合部を４セット具備するハーフサイズ・ブロックと、
上下一対の結合部を２セット具備するクォーターサイズ・ブロックと、
を含んで構成される。
フルサイズ・ブロックが具備する８組の結合部（８組の上下一対の結合部）は、例えば、ブロック上面側から見て４列・２行のレイアウトで形成されている。
ハーフサイズ・ブロックが具備する４組の結合部（４組の上下一対の結合部）は、例えば、ブロック上面側から見て２列・２行のレイアウトで形成されている。
クォーターサイズ・ブロックが具備する２組の結合部（２組の上下一対の結合部）は、例えば、ブロック上面側から見て１列・２行のレイアウトで形成されている。
また、フルサイズ・ブロックは、ハーフサイズ・ブロックを２つ組み合わせたものと同等のサイズ・形状・機能を有し、また、クォーターサイズ・ブロックを４つ組み合わせたものと同等のサイズ・形状・機能を有する。また、ハーフサイズ・ブロックは、クォーターサイズ・ブロックを２つ組み合わせたものと同等のサイズ・形状・機能を有する。
このように、結合部の数・レイアウトが異なる複数タイプの組立ブロックを用いることで、造形の自由度が高まり、多種・多様な立体構造物を造形することが可能になる。
【００１９】
また、本発明の組立ブロックのセットにおいて、フルサイズ・ブロックは、
・平面視および側面視が略矩形であって、２：１：１の寸法比で形成された本体と、
・前記本体の上面側に形成された凸状結合部と、
・前記本体の下面側に形成された凹状結合部と、
を有している。
また、ハーフサイズ・ブロックは、
・平面視および側面視が略矩形であって、１：１：１の寸法比で形成された本体と、
・前記本体の上面側に形成された凸状結合部と、
・前記本体の下面側に形成された凹状結合部と、
を有している。
また、クォーターサイズ・ブロックは、
・平面視および側面視が略矩形であって、０．５：１：１の寸法比で形成された本体と、
・前記本体の上面側に形成された凸状結合部と、
・前記本体の下面側に形成された凹状結合部と、
を有している。
なお、各組立ブロックは、凸状結合部の数だけ凹状結合部を具備している。
このようなサイズ・形状で各ブロックを構成することで、目的の立体構造物を隙間なく構築することが可能になり、また、捩れや圧縮などに強い剛性を立体構造物に与ええることができる。
【００２０】
また、本発明のキャップ（天板）は、組立ブロックに被せることができ、少なくとも凸状結合部を遮蔽可能に（覆い隠すことができるように）構成されている。このようなキャップを用いることで、複数の組立ブロックからなるインテリアの最上面の突起（凸状結合部）を遮蔽し、凸凹の表面をフラットにすることが可能になる。具体的には、例えば組立ブロックを使ってテーブルやチェアなどを造形する場合に、その表面に被せることで、凸状結合部を遮蔽して当該表面をフラットにすることができる。
なお、本発明のキャップを利用することなく、組立ブロックの凸状結合部を露出させてインテリアの一部として楽しんでもよく、また、例えばテーブルやカウンターなどを構築する場合に凸状結合部が邪魔になるときには、キャップを利用することもできる。
【００２１】
また、本発明に係る立体構造物の組立方法では、第１の組立ブロックと第２の組立ブロックを隣接させ、第１の組立ブロックと第２の組立ブロックの間を横断するように第３の組立ブロックを配置するとともに、当該第３の組立ブロックを第１の組立ブロックおよび第２の組立ブロックの双方に対し結合させる。このように、隣接する二つの組立ブロックを跨いで連結するように他のブロックを重ねることで、構築する立体構造物の強度をより一層高めることができる。
【００２２】
また、本発明に係る立体構造物の組立方法では、第１の組立ブロックと第２の組立ブロックを隣接させ、第１の組立ブロックと第２の組立ブロックの間を横断するようにキャップを配置するとともに、第１の組立ブロックおよび第２の組立ブロックの凸状結合部を遮蔽するように当該キャップを被せる。このように、隣接する二つの組立ブロックを跨いで連結するようにキャップを被せることで、構築する立体構造物の強度をより一層高めることができるとともに、被せた部分の凸状結合部を遮蔽しフラットにすることができる。
【００２３】
また、本発明に係る立体構造物の組立方法では、一の組立ブロックと他の組立ブロックを上下方向で結合させ、上下方向で結合した組立ブロックを貫くように棒状の補強部材を各組立ブロックの貫通孔に通す。これにより、構築する立体構造物がさまざまな側圧に耐えられるようになり、また、立体構造物の全体としての強度が大幅に向上する。
また、各組立ブロックの貫通孔に通した棒状の補強部材（例えば鉄筋など）を、さらに下の地面に差し込んでもよい。これにより、地面への固定が必要な大型構造物（例えば大型のオブジェや外壁など）を、地面に対し確りと固定して倒壊等を防止することができる。
【図面の簡単な説明】
【００２４】
【図１】本発明に係る組立ブロックのセットを示す斜視図である。
【図２】フルサイズの組立ブロックを上側から見た斜視図と、下側から見た斜視図である。
【図３】フルサイズの組立ブロックの上面図と下面図である。
【図４】図４左側は、ハーフサイズの組立ブロックの上面図と下面図であり、図４右側は、クォーターサイズの組立ブロックの上面図と下面図である。
【図５】組立ブロックを用いた立体構造物の組立方法の一例を示す図である。
【図６】組立ブロックを用いた立体構造物の組立方法の一例を示す図である。
【図７】組立ブロックを用いた立体構造物の組立方法の一例を示す図である。
【図８】組立ブロックを用いた立体構造物の組立方法の一例を示す図である。
【図９】組立ブロックを用いた立体構造物の組立方法の一例を示す図である。
【図１０】組立ブロックを用いて構築可能な立体構造物の具体例を示す図である。
【図１１】組立ブロックを用いて構築可能な立体構造物の具体例を示す図である。
【発明を実施するための形態】
【００２５】
（組立ブロックのセットの概要）
図１に基づいて、本発明に係る組立ブロックのセットについて説明する。
図１は、本発明に係る組立ブロックのセットを示す斜視図である。
【００２６】
図１に示すように、本発明に係る組立ブロックのセットは、
（１）一または複数のフルサイズの組立ブロックＡと、
（２）一または複数のハーフサイズの組立ブロックＢと、
（３）一または複数のクォーターサイズの組立ブロックＣと、
（４）上記何れかの組立ブロックに被せて用いる一または複数のキャップＤを
含んで構成される。
【００２７】
フルサイズの組立ブロックＡは、ハーフサイズの組立ブロックＢを横方向で２つ組み合わせたものと同等のサイズ・形状・機能を有し、また、クォーターサイズの組立ブロックＣを横方向で４つ組み合わせたものと同等のサイズ・形状・機能を有する。
また、ハーフサイズの組立ブロックＢは、クォーターサイズの組立ブロックＣを横方向で２つ組み合わせたものと同等のサイズ・形状・機能を有する。
【００２８】
キャップＤ（天板）は、図７に例示するように組立ブロックに被せることができ、少なくとも凸状結合部２を遮蔽可能に（覆い隠すことができるように）構成されている。このようなキャップを用いることで、複数の組立ブロックからなる構造物最上面の突起（凸状結合部）を遮蔽し、凸凹の表面をフラットにすることが可能になる。
【００２９】
組立ブロックＡ，Ｂ，Ｃ及びキャップＤの構成材料は特に限定されず、例えば、耐衝撃ポリプロピレン樹脂などを使うことができる。また、透明材料、半透明材料、色付きの透明材料、色付きの半透明材料などを使うことも可能である。
【００３０】
これらの組立ブロックＡ，Ｂ，Ｃ及びキャップＤは、ファーニチャー、ウォール、オブジェなどの立体構造物の全部または一部を構築する際に、その立体構造物用の構成部材として用いることができる。
【００３１】
（フルサイズの組立ブロックの構成）
次に、図２及び図３に基づいて、フルサイズの組立ブロックＡの構成について説明する。図２は、フルサイズの組立ブロックＡの一例を示す図であって、組立ブロックＡの上側から見た斜視図と、下側から見た斜視図である。図３は、フルサイズの組立ブロックＡを上側から見た上面図と、下側から見た下面図である。
【００３２】
図２及び図３に示すように、フルサイズの組立ブロックＡは、
・２：１：１の寸法比（横・縦・奥行の寸法比）で形成された本体１と、
・本体１の上面側に形成された凸状結合部２（突起）と、
・本体１の下面側に形成された凹状結合部３（溝）と、
・棒状の補強部材や線材などを通すための貫通孔４を
有している。
【００３３】
本体１は、平面視および側面視が略矩形で、底部側に溝が形成された略直方体状の外観を有している。
【００３４】
凸状結合部２（突起）は、平面視矩形の形状を有し、本体１の上面側に形成されている。この凸状結合部２は、上方に積み重ねる他の組立ブロックの凹状結合部３に結合させることができる。凸状結合部２を、他の組立ブロックの凹状結合部３に押し込んで凹凸嵌合させることで、２つの組立ブロックが上下方向でドッキングし、積み重なった２つのブロックを相互に確りと固定することができる。
【００３５】
凹状結合部３（溝）は、平面視矩形の形状を有し、本体１の下面側に形成されている。この凹状結合部３に対しては、下方に配置された他の組立ブロックの凸状結合部２を結合させることができる。下方の他の組立ブロックの凸状結合部２を、その上の凹状結合部３に押し込んで凹凸嵌合させることで、２つの組立ブロックが上下方向でドッキングし、積み重なった２つのブロックを相互に確りと固定することができる。
【００３６】
図３（ｂ）に示すように、各凹状結合部３には、四方から内側空間に張り出した張出部８が設けられている。ドッキングさせる他の組立ブロックの凸状結合部２を、凹状結合部３に押し込むと、その凸状結合部２の周面が張出部８に接触する。つまり、凸状結合部２は、凹状結合部３の内周面に対して全周接触するのではなく、図３（ｂ）で二点鎖線で示すように、張り出した４つの張出部８に対して接触するようになっている。これにより、凹状結合部３に対し凸状結合部２を押し込む際や引き抜く際に、摩擦抵抗を最小限に抑えることができる。
【００３７】
上記構成の凸状結合部２と凹状結合部３は、上下一組でひとつの結合手段６を構成している。すなわち、ひとつの結合手段６は、上下一組の結合部２，３（上下一対の結合部２，３）で構成される。
【００３８】
本体１は、一組の結合部２，３からなる結合手段６を複数具備しており、また、複数の結合手段６，６…は、ブロック上方から見て複数列・複数行のレイアウトで設けられている。本実施形態の場合では、フルサイズの組立ブロックＡは、一組の結合部２，３からなる結合手段６を８セット具備している。そして、８つの結合手段６（すなわち８セットの上下一対の結合部２，３）は、ブロック上方から見て４列・２行のレイアウトで設けられている。
【００３９】
また図２（ｂ）及び図３に示すように、本体１には、棒状の補強部材や線材を通すための貫通孔４が形成されている。
【００４０】
（ハーフサイズの組立ブロックの構成）
次に、図１及び図４左側に基づいて、ハーフサイズの組立ブロックＢの構成について説明する。図４左側は、ハーフサイズの組立ブロックＢを上側から見た上面図と、下側から見た下面図を示している。
【００４１】
ハーフサイズの組立ブロックＢは、図１及び図４左側に示すとおり、
・平面視および側面視が略矩形であって、１：１：１の寸法比で形成された本体１と、
・本体の上面側に形成された凸状結合部２と、
・本体の下面側に形成された凹状結合部３を
有している。
【００４２】
ハーフサイズの組立ブロックＢは、上下一対の結合部２，３（結合手段６）を４セット具備している。
【００４３】
ハーフサイズの組立ブロックＢが具備する４組の結合部２，３（４セットの結合手段６）は、ブロック上面側から見て２列・２行のレイアウトで形成されている。
【００４４】
前述したフルサイズの組立ブロックＡは、ハーフサイズの組立ブロックＢを横方向で２つ組み合わせたものと同等のサイズ・形状・機能を有している。
【００４５】
なお、その他の特徴は、前述したフルサイズの組立ブロックＡと同様なので、詳細な説明を省略する。
【００４６】
（クォーターサイズの組立ブロックの構成）
次に、図１及び図４右側に基づいて、クォーターサイズの組立ブロックＣの構成について説明する。図４右側は、クォーターサイズの組立ブロックＣを上側から見た上面図と、下側から見た下面図である。
【００４７】
クォーターサイズの組立ブロックＣは、図１及び図４右側に示すとおり、
・平面視および側面視が略矩形であって、０．５：１：１の寸法比で形成された本体１と
・本体の上面側に形成された凸状結合部２と、
・本体の下面側に形成された凹状結合部３を
有している。
【００４８】
クォーターサイズの組立ブロックＣは、上下一対の結合部２，３（結合手段６）を２セット具備している。
【００４９】
クォーターサイズの組立ブロックＣが具備する２組の結合部２，３（２セットの結合手段６）は、ブロック上面側から見て１列・２行のレイアウトで形成されている。
【００５０】
前述したフルサイズの組立ブロックＡは、クォーターサイズの組立ブロックＣを横方向で４つ組み合わせたものと同等のサイズ・形状・機能を有している。また、前述したハーフサイズの組立ブロックＢは、クォーターサイズの組立ブロックＣを横方向で２つ組み合わせたものと同等のサイズ・形状・機能を有している。
【００５１】
なお、その他の特徴は、前述したフルサイズの組立ブロックＡと同様なので、詳細な説明を省略する。
【００５２】
（組立ブロックを用いた立体構造物の組立方法）
次に、図５〜図１１に基づいて、複数の組立ブロックおよびキャップを用いた立体構造物の組立方法について説明する。図５〜図１１はそれぞれ、組立ブロックを用いた立体構造物の組立方法の一例を示す図である。
【００５３】
本実施形態に係る組立ブロックＡ，Ｂ，ＣおよびキャップＤを用いて立体構造物を構築する場合には、これらの組立ブロックおよびキャップは、例えば次に述べるように使うことができる。
【００５４】
組立ブロックＡ，Ｂ，Ｃは、図５に例示するように、同種または異種の組立ブロックを上下方向で積み重ねるとともに、一方の凸状結合部を他方の凹状結合部に押し込むことでドッキングし、相互に確りと固定させることができる。例えば、２つのフルサイズ・ブロックＡを結合させるときには、図５に示すように、一方が具備する凸状結合部の全部と、他方が具備する凹状結合部の全部を使って相互に連結させることができ、また、図６に示すように、一方が具備する一部の凸状結合部と、他方が具備する一部の凹状結合部を使って相互に連結させることもできる。
【００５５】
また、図６に示すように、第１の組立ブロックと第２の組立ブロックを横並びで隣接するように配置し、第１の組立ブロックと第２の組立ブロックの間を横断するように（跨ぐように）第３の組立ブロックを配置する。そして、当該第３の組立ブロックを第１の組立ブロックおよび第２の組立ブロックの双方に対し結合させる。つまり、横方向に並んだ第１の組立ブロックと第２の組立ブロックを連結する部材として第３の組立ブロックを使うこともできる。
【００５６】
また、図７下側に示すように、第１の組立ブロックと第２の組立ブロックを横並びで隣接させ、第１の組立ブロックと第２の組立ブロックの間を横断するように（跨ぐように）キャップＤを配置するとともに、第１の組立ブロックおよび第２の組立ブロックの凸状結合部２を遮蔽するように当該キャップＤを被せる。つまり、キャップＤを、凸状結合部２を遮蔽するための部材として使うことができるほか、横方向に並んだ第１の組立ブロックと第２の組立ブロックを連結する部材として使うこともできる。
【００５７】
また、図８に示すように、一の組立ブロックと他の組立ブロックを上下方向で結合させ、上下方向で結合した組立ブロックを貫くように棒状の補強部材７を各組立ブロックの貫通孔に通すといった使い方もできる。
【００５８】
なお、本発明に係る組立ブロックの積み重ね・結合の態様は、図５〜図８に示すものに限定されず、例えば、図９に例示するような配置を採用することもできる。
【００５９】
また、本発明に係る組立ブロックやキャップを利用して構築される立体構造物の一例を図１０及び図１１に示す。同図を見て分かるとおり、本発明に係る組立ブロックやキャップを利用して構築できる立体構造物の形状や大きさは特に限定されず、あらゆる立体構造物の構築に利用できる。そのような構造物の具体例としては、例えば、ファーニチャー（カウンター、椅子、テーブル、テレビスタンド）、ウォール（パーティション、ディスプレー用壁、テント外壁、テント内壁や区切り、ガーデニング用の隔壁）、オブジェ（観賞用の立体構造物、芸術的な立体構造物）、デスクのベース、カウンター、展示ディスプレー、展示会や各種イベントでの仮設構造物、大道具・セット、被災地救援等での簡易ルームの構築、デコレーション、柱、入場路、イルミネーション、ステージ、ステップ、ポディウムなどが挙げられる。
【符号の説明】
【００６０】
Ａ      フルサイズの組立ブロック
Ｂ      ハーフサイズの組立ブロック
Ｃ      クォーターサイズの組立ブロック
Ｄ      キャップ（天板）
１      本体
２      凸状結合部（突起）
３      凹状結合部（溝）
４      貫通孔
６      結合手段
７      棒状の補強部材（支持棒）
８      張出部
【図１】
2017128990.tif 000003
【図２】
2017128990.tif 000004
【図３】
2017128990.tif 000005
【図４】
2017128990.tif 000006
【図５】
2017128990.tif 000007
【図６】
2017128990.tif 000008
【図７】
2017128990.tif 000009
【図８】
2017128990.tif 000010
【図９】
2017128990.tif 000011
【図１０】
2017128990.tif 000012
【図１１】
2017128990.tif 000013